【手続補正書】
【提出日】平成23年7月6日(2011.7.6)
【手続補正１】
【補正対象書類名】明細書
【補正対象項目名】０００６
【補正方法】変更
【補正の内容】
【０００６】
すなわち、本発明は、後方に湾曲した形状をなす背もたれに背カバーを張り設けるようにした椅子であって、前記背カバーが、カバー本体と当該カバー本体の内側に取り付けられる板状体とを備えたものであり、前記カバー本体が、前カバー及び後カバーと、前記背もたれの上端部側に被せて収容可能な袋状の収容部とを備えたものであり、前記収容部が、下方にのみ開口するものであり、前記背もたれの上端部に前記背カバーを取り付けた際に、前記板状体が前記背もたれの背面側に位置し、前記背もたれを挟んで前面側に前記前カバーが位置するものであり、前記板状体が、樹脂など可撓性を有する素材によって平板状に成形されたもので、その下端部を包むようにカバー本体を折り返した状態で前記カバー本体に対して幅方向に沿って縫製することによって前記収容部内に取り付けられ、前記収容部の略全域に亘る大きさに設定されているものであり、前記背もたれに前記背カバーを被せた際に、前記板状体が前記背もたれの湾曲形状に沿って撓み変形して、背もたれの上端部が当該収容部の上端部の布地に当たる位置まで挿入されることを特徴とする椅子である。
【手続補正２】
【補正対象書類名】明細書
【補正対象項目名】０００８
【補正方法】変更
【補正の内容】
【０００８】
また、本発明にかかる他の椅子は、後方に湾曲した形状をなす背もたれに背カバーを張り設けるようにしたものであって、前記背カバーが、カバー本体と当該カバー本体の内側に取り付けられる板状体とを備えたものであり、前記カバー本体が、前カバー及び後カバーと、前記背もたれの上端部側に被せて収容可能な袋状の収容部とを備えたものであり、前記収容部が、下方にのみ開口するものであり、前記背もたれの上端部に前記背カバーを取り付けた際に、前記板状体が前記背もたれの背面側に位置し、前記背もたれを挟んで前面側に前記前カバーが位置するものであり、前記板状体が、樹脂など可撓性を有する素材によって平板状に成形されたもので、その下端部を包むようにカバー本体を折り返した状態で前記カバー本体に対して幅方向に沿って縫製することによって前記収容部内に取り付けられ、前記収容部の略全域に亘る大きさに設定されているものであり、前記背もたれに前記背カバーを被せた際に、前記板状体が前記背もたれの湾曲形状に沿って撓み変形することを特徴とする。
【手続補正３】
【補正対象書類名】明細書
【補正対象項目名】０００９
【補正方法】変更
【補正の内容】
【０００９】
本発明のさらに他の椅子は、後方に湾曲した形状をなす背もたれに背カバーを張り設けるようにしたものであって、前記背カバーが、カバー本体と当該カバー本体の内側に取り付けられる板状体とを備えたものであり、前記カバー本体が、前カバー及び後カバーと、前記背もたれの上端部側に被せて収容可能な袋状の収容部とを備えたものであり、前記収容部が、下方にのみ開口するものであり、前記背もたれの上端部に前記背カバーを取り付けた際に、前記板状体が前記背もたれの背面側に位置し、前記背もたれを挟んで前面側に前記前カバーが位置するものであり、前記板状体が、樹脂など可撓性を有する素材によって平板状に成形されたもので、前記収容部内に取り付けられ、前記収容部の略全域に亘る大きさに設定されているものであり、前記背もたれに前記背カバーを被せた際に、前記板状体が前記背もたれの湾曲形状に沿って撓み変形して、背もたれの上端部が当該収容部の上端部の布地に当たる位置まで挿入されることを特徴とする。
そして、前記背もたれに前記背カバーを被せた際に、前記板状体が前記背もたれの湾曲形状に沿って撓み変形し、前記カバー本体が板状体によってバックアップされるようにすれば、背もたれが湾曲していても板状体がその形状に対応し、カバーの皺を好適に防ぐことができる。
【手続補正４】
【補正対象書類名】明細書
【補正対象項目名】００１０
【補正方法】変更
【補正の内容】
【００１０】
前記背もたれの好適な一態様としては、厚み方向に貫通する孔を複数設けたものが挙げられる。
【手続補正５】
【補正対象書類名】明細書
【補正対象項目名】００１１
【補正方法】変更
【補正の内容】
【００１１】
前記背もたれが、通気や弾性助勢のため、またはデザイン性向上の用途で形成された孔を有しており、背カバーが、前記孔を利用して背もたれに固定するようにしているものが好ましい。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
また、本発明は、請求項１〜６のいずれかに適用される椅子の背カバーであって、前記椅子の背もたれの張り地を形成するための前記カバー本体と、このカバー本体に取り付けられた前記板状体とを備えてなることを特徴とする。
【手続補正９】
【補正対象書類名】特許請求の範囲
【補正対象項目名】全文
【補正方法】変更
【補正の内容】
【特許請求の範囲】
【請求項１】
後方に湾曲した形状をなす背もたれに背カバーを張り設けるようにした椅子であって、
前記背カバーが、カバー本体と当該カバー本体の内側に取り付けられる板状体とを備えたものであり、
前記カバー本体が、前カバー及び後カバーと、前記背もたれの上端部側に被せて収容可能な袋状の収容部とを備えたものであり、
前記収容部が、下方にのみ開口するものであり、前記背もたれの上端部に前記背カバーを取り付けた際に、前記板状体が前記背もたれの背面側に位置し、前記背もたれを挟んで前面側に前記前カバーが位置するものであり、
前記板状体が、樹脂など可撓性を有する素材によって平板状に成形されたもので、その下端部を包むようにカバー本体を折り返した状態で前記カバー本体に対して幅方向に沿って縫製することによって前記収容部内に取り付けられ、前記収容部の略全域に亘る大きさに設定されているものであり、
前記背もたれに前記背カバーを被せた際に、前記板状体が前記背もたれの湾曲形状に沿って撓み変形して、背もたれの上端部が当該収容部の上端部の布地に当たる位置まで挿入されることを特徴とする椅子。
【請求項２】
後方に湾曲した形状をなす背もたれに背カバーを張り設けるようにした椅子であって、
前記背カバーが、カバー本体と当該カバー本体の内側に取り付けられる板状体とを備えたものであり、
前記カバー本体が、前カバー及び後カバーと、前記背もたれの上端部側に被せて収容可能な袋状の収容部とを備えたものであり、
前記収容部が、下方にのみ開口するものであり、前記背もたれの上端部に前記背カバーを取り付けた際に、前記板状体が前記背もたれの背面側に位置し、前記背もたれを挟んで前面側に前記前カバーが位置するものであり、
前記板状体が、樹脂など可撓性を有する素材によって平板状に成形されたもので、その下端部を包むようにカバー本体を折り返した状態で前記カバー本体に対して幅方向に沿って縫製することによって前記収容部内に取り付けられ、前記収容部の略全域に亘る大きさに設定されているものであり、
前記背もたれに前記背カバーを被せた際に、前記板状体が前記背もたれの湾曲形状に沿って撓み変形することを特徴とする椅子。
【請求項３】
後方に湾曲した形状をなす背もたれに背カバーを張り設けるようにした椅子であって、
前記背カバーが、カバー本体と当該カバー本体の内側に取り付けられる板状体とを備えたものであり、
前記カバー本体が、前カバー及び後カバーと、前記背もたれの上端部側に被せて収容可能な袋状の収容部とを備えたものであり、
前記収容部が、下方にのみ開口するものであり、前記背もたれの上端部に前記背カバーを取り付けた際に、前記板状体が前記背もたれの背面側に位置し、前記背もたれを挟んで前面側に前記前カバーが位置するものであり、
前記板状体が、樹脂など可撓性を有する素材によって平板状に成形されたもので、前記収容部内に取り付けられ、前記収容部の略全域に亘る大きさに設定されているものであり、
前記背もたれに前記背カバーを被せた際に、前記板状体が前記背もたれの湾曲形状に沿って撓み変形して、背もたれの上端部が当該収容部の上端部の布地に当たる位置まで挿入されることを特徴とする椅子。
【請求項４】
前記背もたれが、厚み方向に貫通する孔を複数設けたものであることを特徴とする請求項１、２又は３記載の椅子。
【請求項５】
前記背もたれに前記背カバーを被せた際に、前記板状体が前記背もたれの湾曲形状に沿って撓み変形し、前記カバー本体が板状体によってバックアップされる請求項１、２、３、又は４記載の椅子。
【請求項６】
前記背もたれが、通気や弾性助勢のため、またはデザイン性向上の用途で形成された孔を有しており、前記背カバーを、前記孔を利用して背もたれに固定するようにしている請求項１、２、３、４または５記載の椅子。
【請求項７】
請求項１〜６のいずれかに適用される椅子の背カバーであって、
前記椅子の背もたれの張り地を形成するための前記カバー本体と、このカバー本体に取り付けられた前記板状体とを備えてなることを特徴とする背カバー。